(57)【要約】【課題】予定表に予め記入されたイベントの時間が重複し、その重複した時刻になったときに、各イベントに登録されている動作モードの内、優先度の高い動作モードを選択して設定することができる携帯端末を提供する。【解決手段】スケジュール管理機能１１は、ユーザ操作によりイベントの予定時間とイベント名などをスケジュール・動作モード記憶部１５に記録する。動作モード登録機能１２は、上記各イベント毎に、通常モード、マナーモード、ミーティングモード、フライトモード、電源オフモードなどの動作モードのどのモードで動作させるかをユーザ操作により予めスケジュール・動作モード記憶部１５内の動作モード１５Ｅに登録する。動作モード決定機能１３は、現在時刻がスケジュール・動作モード記憶部１５の予定時間になったとき、重複したイベントがあれば、動作モード１５Ｅの内、周囲に迷惑をかけない優先度の高い動作モードを選択して設定する。【選択図】図１
2010114836.tif 000002
【特許請求の範囲】
【請求項１】
複数のイベントの開始時刻および終了時刻、この開始時刻と終了時刻の間に設定される動作モード、および動作モードの優先度情報とを記憶するスケジュール記憶部と、
時刻情報を生成する時計部と、
この時計部によって生成された時刻情報と、前記スケジュール記憶部に記憶されている開始時刻と終了時刻とを比較する比較手段と、
この比較手段による比較の結果、前記時刻情報が前記開始時刻と終了時刻との間を示すとき、この開始時刻および終了時刻に対応して記憶されている動作モードで動作するように設定する動作モード設定手段と、
この動作モード設定手段によって動作するように設定された動作モードが複数存在するか否かを検出する検出手段と、
この検出手段によって複数の動作モードが動作するように設定されていることが検出されると、前記スケジュール記憶部に記憶された優先度情報に基づいて、優先度の高い動作モードで動作するように前記動作モード設定手段を制御する競合制御手段とを
具備することを特徴とする携帯端末。
【請求項２】
前記比較手段による比較の結果、前記時計部によって生成された時刻情報が前記スケジュール記憶部に記憶されている終了時刻に一致したことが検出されると、この一致と検出された終了時刻を所定時間延長されるか否かを問合せる問合せ手段と、
この問合せ手段による問合せに対して延長指示があると、前記一致と検出された終了時刻を所定時間延長した時刻を前記スケジュール記憶部に更新記憶させる更新手段とを更に備えたことを特徴とする請求項１に記載の携帯端末。
【請求項３】
前記動作モードは、動作制限を行わない通常モード、スピーカ無音でバイブレータ可のマナーモード、スピーカとバイブレータ不可で表示部は可能なミーティングモード、電波抑止のフライトモード、主要部分の電源オフの電源オフモードのいずれか２つ以上を含み、
前記優先度の順位は、高い方から電源オフモード、フライトモード、ミーティングモード、マナーモード、通常モードの順であることを特徴とする請求項１記載の携帯端末。
【発明の詳細な説明】
【技術分野】
【０００１】
本発明は、所定のイベントの発生時間に合わせて自端末をマナーモードなどの所定の動作モードに設定する携帯端末に関する。
【背景技術】
【０００２】
所定のイベントの発生時間に合わせて所定の動作モードに設定する携帯端末装置がある（例えば、特許文献１参照。）。この特許文献１の携帯端末装置では、スケジューラに記録された航空機搭乗やコンサート視聴などのイベントの内容に基づいて、その予定時間に実行する電源オフやマナーモードなどの動作モードを予め自動または手動で登録し、その時間になると、自動または手動でその動作モードに設定実行される。
【特許文献１】特開２００２−１１１７９４号公報（頁４〜７、図２）
【発明の開示】
【発明が解決しようとする課題】
【０００３】
ユーザが複数のイベントを携帯端末の予定表に記入するとき、まだ未確定である場合などで、その時間帯が重複していても複数記載することがあり、このような場合に特許文献１に開示されているようにイベントの発生ごとに動作モードの設定が行われると、好ましくない動作モードが設定されてしまうことがある。例えば、コンサートなどのように電源オフやマナーモードに設定されていることが好ましい状況で、このコンサートというイベントと重複し、動作モードとして電源オンとなるイベントが設定されていた場合に、意図せずに電源がオンになってしまう場合である。
【０００４】
そこで本発明では、携帯端末の予定表に予め記入されたイベントの時間が重複し、現在時刻がその重複した時間になったときに、各イベントに登録されている動作モードの内、周囲に迷惑をかけない動作モードを自動で選択して設定実行することができる携帯端末を提供することを目的とする。また、イベント自体が遅延した場合にも適した動作モードの設定を行うことができる携帯端末を提供することを目的とする。
【課題を解決するための手段】
【０００５】
上記目的を達成するために、本発明の携帯端末は、複数のイベントの開始時刻および終了時刻、この開始時刻と終了時刻の間に設定される動作モード、および動作モードの優先度情報とを記憶するスケジュール記憶部と、時刻情報を生成する時計部と、この時計部によって生成された時刻情報と、前記スケジュール記憶部に記憶されている開始時刻と終了時刻とを比較する比較手段と、この比較手段による比較の結果、前記時刻情報が前記開始時刻と終了時刻との間を示すとき、この開始時刻および終了時刻に対応して記憶されている動作モードで動作するように設定する動作モード設定手段と、この動作モード設定手段によって動作するように設定された動作モードが複数存在するか否かを検出する検出手段と、この検出手段によって複数の動作モードが動作するように設定されていることが検出されると、前記スケジュール記憶部に記憶された優先度情報に基づいて、優先度の高い動作モードで動作するように前記動作モード設定手段を制御する競合制御手段とを具備することを特徴とする。
【発明の効果】
【０００６】
本発明によれば、携帯端末の予定表に予め記入されたイベントの時間が重複し、現在時刻がその重複した時間になったときに、各イベントに登録されている動作モードの内、周囲に迷惑をかけない動作モードを自動で選択して設定実行することができる。
【発明を実施するための最良の形態】
【０００７】
図１は、本発明の実施例に係る携帯端末１００のブロック図である。携帯端末１００は、アンテナ１、無線通信部２、表示部３、入力部４、スピーカ５、音声処理部６、バイブレータ７、制御部１０、スケジュール・動作モード記憶部１５、動作モード優先順位記憶部１６、決定動作モード記憶部１７などから構成される。制御部１０は、図示しないＣＰＵ、ＲＯＭ、ＲＡＭなどから構成され、ＲＯＭに記憶されているソフトウェアに基づいて、スケジュール管理機能１１、動作モード登録機能１２、動作モード決定機能１３などを実行する。また、制御部１０は、時計部１４を有する。
【０００８】
次に上記各部について説明する。無線通信部２は、図示しない携帯電話網を構成する基地局との間でアンテナ１を介して無線信号の送受を行うとともに、送受信するデータの周波数変換、変調復調処理などを行う。
【０００９】
表示部３は、表示コントローラおよびＬＣＤなどから構成されるユーザインタフェースとしての表示手段であり、例えば、制御部１０の図示しない携帯電話制御機能によって実行される通話に関する各種情報の表示を行う。その一例を挙げると、電波強度の表示、着呼時の発信者名の表示、通話時間の表示などがある。また、表示部３は、動作モード決定機能１３によって動作モード延長問い合わせの表示なども行う。  
入力部４は、数字キー、機能キー、電源キーなどの操作キーからなる入力手段である。
【００１０】
音声処理部６は、無線通信部２を介して基地局から受信した符号化された音声が入力されると、音声符号化方式に基づいて復号を行って音声のディジタル信号を得るとともに、このディジタル信号をアナログ信号に変換してスピーカ５から出力する。また、音声処理部６は、無線通信部２を介して基地局から着信があると、着信音を作成してスピーカ５から報知出力する。  
バイブレータ７は、振動による報知出力手段であり、着信報知や、アラーム報知用として使用される。
【００１１】
制御部１０の各機能の説明を行う前に、制御部１０のスケジュール・動作モード記憶部１５について次に説明する。  
図２は、本発明の実施例に係る携帯端末１００のスケジュール・動作モード記憶部１５を説明する図である。  
図２の（Ａ）は、予定表と動作モード（括弧書きで示す）のイメージ図である。ユーザは、ある月日、例えば１０月１０日の予定として、まだ確定しない予定も含めて予定表にイベントの予定時間とイベント名を登録する。また、各イベントの動作モード（括弧書き）も合わせて登録する。
【００１２】
まだ予定が確定していないが記憶のために登録することはよく行われる。したがって、登録時点では、重複する予定もある。また、登録時点では重複していなくても、イベントが点線のように遅延して他のイベントと重複することもよくある。
【００１３】
動作モードについて、次に説明する。  
図３は、本発明の実施例に係る携帯端末１００の動作モード優先順位記憶部１６を説明する図である。符号１６Ａは動作モードの種別、符号１６Ｂは各動作モードの周囲に迷惑をかけないとの基準に基づいて設定された優先順位が予め記録されている。動作モードとしては、通常モード、マナーモード、ミーティングモード、フライトモード、電源オフモードなどがある。通常モードは、動作制限を行わない動作モードである。マナーモードは、スピーカ無音で、バイブレータ可の動作モードであり、例えば、イベントがコンサートや電車車中などの場合に、設定される動作モードである。ミーティングモードは、スピーカもバイブレータも不可で表示部は可能な動作モードであり、例えば、イベントが会議中などの場合に、設定される動作モードである。
【００１４】
フライトモードは、アンテナ１および無線通信部２の電波抑止、すなわち無線信号を出さない、また受けない状態とし、ただし、他のゲーム機能などは使用できる動作モードであり、例えば、イベントが飛行機などの場合に、設定される動作モードである。電源オフモードは、時計部１４や表示部３の報知表示などの最低限の機能を許可し、他の大部分の機能部分の電源をオフにして不要輻射もほぼ零の動作モードであり、例えば、イベントが病院などの場合に、設定される動作モードである。
【００１５】
これらの動作モードが携帯端末１００の周囲の人や物に対して迷惑をかけない優先順位は、高い方から並べると、電源オフモード（１位）、フライトモード（２位）、ミーティングモード（３位）、マナーモード（４位）、通常モード（５位）の順となる。
【００１６】
図２の（Ａ）の例では、ユーザは、時刻１０：００から１２：００は、イベントＥ１として飛行機搭乗、動作モードとしてフライトモードを登録する。時刻１１：００から１３：００は、イベントＥ２としてコンサート、動作モードとしてマナーモードを登録する。時刻１４：００から１５：００は、イベントＥ３として会議、動作モードとしてミーティングモードを登録する。時刻１６：００から１８：００は、イベントＥ４としてコンサート、動作モードとしてマナーモードを登録する。予定表にない時間帯は、デフォルトの動作モード、たとえば通常モードが設定される。
【００１７】
図２の（Ｂ）は、スケジュール・動作モード記憶部１５の内容を説明する図であり、図２の（Ａ）の例が記録された状態を示す。スケジュール・動作モード記憶部１５の符号１５Ａはイベント番号（Ｎｏ．）、符号１５Ｂはイベントの開始予定時刻、符号１５Ｃはイベントの終了予定時刻、符号１５Ｄはイベント名、符号１５Ｅは動作モード、符号１５Ｆは符号１５Ｅに登録された動作モードの優先順位であり、図３に示される動作モード優先順位記憶部１６図３に記録されている優先順位によって決定される。
【００１８】
符号１５Ｇは予定期間中フラグであり、現在時刻が開始予定時刻と終了予定時刻の間でＯＮ状態となるフラグである。したがって、予定期間中フラグ１５Ｇは、図２の（Ａ）の各イベントの太線枠内の時間帯にＯＮ状態となるフラグであり、このフラグをチェックすることにより、イベントの重複の判断が行える。
【００１９】
イベントＥ１は、開始予定時刻１５Ｂが１０月１０日の時刻１０：００、終了予定時刻１５Ｃが１０月１０日の時刻１２：００、イベント名１５Ｄが飛行機、動作モード１５Ｅがフライトモードで登録されている。また、この予定期間中フラグ１５Ｇは、現在時刻が開始予定時刻１０：００時点でＯＮになり、終了予定時刻１２：００時点でＯＦＦになるフラグである。現在時刻が開始予定時刻１０：００と終了予定時刻１２：００の間の例えば１１：００であればＯＮ状態である。他のイベントＥ２、Ｅ３、Ｅ４についても同様に登録記録され、現在時刻に応じて予定期間中フラグ１５Ｇが処理される。
【００２０】
このようにして、登録された予定ではあるが、未確定の予定や、予定の遅延などが発生する都度に、ユーザが更新を行うことは煩雑であり、また、更新し忘れるということは多々ある。
【００２１】
そこで本発明では、現在時刻がスケジュール・動作モード記憶部１５の各イベントの終了予定時刻１５Ｃになった時点で、ユーザに例えば３０分の延長問合せを行い、ユーザ指示などに基づいて３０分単位の延長を行うものである。図２の（Ａ）の例では、イベントＥ１、Ｅ２、Ｅ４については、現在時刻がそれぞれの終了予定時刻になった時点で、ユーザにそれぞれのイベントの延長問合せを行い、延長否の指示があり、延長しなかった例である。
【００２２】
イベントＥ３については、現在時刻が終了予定時刻１５Ｃの１５：００になった時点で、ユーザにイベントＥ３の延長問合せを行い、延長可の指示があり、イベントＥ３の終了予定時刻１５Ｃを１５：３０に書き換える。さらに、この延長した終了予定時刻１５Ｃの１５：３０になった時点で、再度問合せを行って、延長可指示で、イベントＥ３の終了予定時刻１５Ｃを１６：００に書き換える。さらに、この延長した終了予定時刻１５Ｃの１６：００になった時点で、再度問合せを行って、延長可指示で、イベントＥ３の終了予定時刻１５Ｃを１６：３０に書き換える。さらに、この延長した終了予定時刻１５Ｃの１６：３０になった時点で、再度問合せを行って、延長否の指示があり、延長しなかった例であり、図２の（Ａ）の点線で示したようになる。その結果、イベントＥ３とＥ４の予定が重複することが発生する。
【００２３】
再び図１に戻り、制御部１０の各機能の説明を行う。制御部１０のスケジュール管理機能１１は、いわゆるスケジューラであり、スケジュール表を表示部３に表示させ、ユーザ操作により入力部４から入力されたイベントの予定時間とイベント名などをスケジュール・動作モード記憶部１５の開始予定時刻１５Ｂ、終了予定時刻１５Ｃ、イベント名１５Ｄに記録する。
【００２４】
動作モード登録機能１２は、スケジュール・動作モード記憶部１５に記憶されているイベント毎に、通常モード、マナーモード、ミーティングモード、フライトモード、電源オフモードなどの動作モードのどのモードで動作させるかを予め登録する機能であり、まず、スケジュール・動作モード記憶部１５に記憶されている予定を表示部３に表示させ、入力部４をチェックして、イベント毎にユーザ操作により動作モードを登録して、スケジュール・動作モード記憶部１５の動作モード１５Ｅに記憶する。この時、動作モード登録機能１２は、登録した動作モードに対応する優先順位を動作モード優先順位記憶部１６から読み出して、スケジュール・動作モード記憶部１５の動作モード優先順位１５Ｆに記録する。
【００２５】
なお、動作モード登録機能１２は、ユーザ操作による動作モード登録として説明したが、イベント名に対応する動作モードを予め決めておいて、自動登録してもよい。また、動作モード登録機能１２の機能は、スケジュール管理機能１１に含めて処理してもよい。
【００２６】
動作モード決定機能１３は、時計部１４からの例えば１分周期の割り込み信号により起動されるタイマー割込み処理である。動作モード決定機能１３は、起動されると、時計部１４から現在時刻情報を入手して、この現在時刻が、スケジュール・動作モード記憶部１５に登録記録されている予定時間になったときに、このスケジュール・動作モード記憶部１５に登録記録されている動作モードを参照して、実際の動作モードを決定して、決定動作モード記憶部１７に記録することで、自端末の動作モードの設定が完了する。
【００２７】
制御部１０の図示しない通信機能やアラーム機能などは、決定動作モード記憶部１７に記録された決定動作モードに従って、通信時の着信報知やアラーム報知の処理を行う。
【００２８】
動作モード決定機能１３は、スケジュール・動作モード記憶部１５に登録記録されている内容を基にして、実際の動作モードを決定するが、スケジュール・動作モード記憶部１５の内容がユーザによりきちんとメンテナンス更新されてなく、イベントの重複や、イベントの遅延などの発生を考慮して、実際の動作モードを決定する必要がある。その詳細については、後述の図４の動作フローチャートを用いて説明する。
【００２９】
時計部１４は、電源オフ時も常時動作して、時計機能を実行し、そして、例えば１分周期の割り込み信号を制御部１０へ送出すると共に、現在時刻情報を動作モード決定機能１３に通知する。
【００３０】
図４は、本発明の実施例に係る携帯端末１００の動作モード決定機能１３の動作フローチャートである。図中の括弧内に記載の時刻は、図２の開始予定時刻１５Ｂ、終了予定時刻１５Ｃの例に対応した時刻を示す。動作モード決定機能１３は、時計部１４からの１分周期の割込み信号により起動されるタイマー割り込み処理である。
【００３１】
この動作フローチャートの概要は、ステップＳ１は、現在時刻が開始予定時刻１５Ｂおよび終了予定時刻１５Ｃのいずれかである場合のみ、以下のステップＳ１１以降へと進むが、いずれにも該当しないほとんどのタイミングでは即終了して処理時間を短縮する。ステップＳ１１〜１２は、現在時刻が開始予定時刻１５Ｂとなったときに、予定期間中フラグ１５ＧをＯＮにする処理である。ステップＳ２１〜２７は、現在時刻が終了予定時刻１５Ｃとなったときに、予定期間中フラグ１５ＧをＯＦＦにする処理である。以上の処理で各イベントの予定期間中フラグ１５Ｇが確定し、その後のステップＳ３１〜３４で、各イベントの予定期間中フラグ１５Ｇでイベントの重複判断などを行って、最適な動作モードを決定する処理である。
【００３２】
以下、具体的に説明する。動作モード決定機能１３は起動すると、時計部１４から現在時刻を入手し、この現在時刻と、スケジュール・動作モード記憶部１５の開始予定時刻１５Ｂおよび終了予定時刻１５Ｃの全てとを比較し、一致するものがあるかをチェックする（ステップＳ１）。図２の例では、開始予定時刻１５Ｂおよび終了予定時刻１５Ｃの全ては、時刻１０：００、１１：００、１２：００、１３：００、１４：００、１５：００、１６：００、１８：００の８ポイントであるが、後述のステップＳ２６で終了予定時刻１５Ｃは、ユーザに延長問合せを行い、その結果として延長して書き変わる場合もあるので、その延長時刻も対象となる。
【００３３】
ステップＳ１では、図２の例では、開始予定時刻１５Ｂおよび終了予定時刻１５Ｃに登録されている計８ポイントの時刻が対象なので、現在時刻がこの８ポイントの予定時刻と一致しないほとんどの割込みタイミングの場合は、即終了し、短時間で処理を終えるようにする。
【００３４】
ステップＳ１で現在時刻と一致するものがあれば、その一致したものが開始予定時刻１５Ｂであるかをチェックする（ステップＳ１１）。開始予定時刻１５Ｂの時刻１０：００、１１：００、１４：００、１６：００のいずれでもなければ、後述のステップＳ２１へ移動する。
【００３５】
開始予定時刻１５Ｂのいずれかであれば、該当する開始予定時刻のイベントの予定期間中フラグ１５ＧをＯＮにする（ステップＳ１２）。
【００３６】
なお、図２の例では、開始予定時刻は同じものがないので、１つのイベントしか該当することがないが、開始予定時刻が同じイベントがある場合には、該当する複数のイベントの予定期間中フラグ１５ＧをＯＮにする。
【００３７】
このステップＳ１１で現在時刻と開始予定時刻１５Ｂとが一致してステップＳ１２の処理を行った後でも、次のステップＳ２１に入り、現在時刻と一致したものが終了予定時刻１５Ｃであるかをチェックする（ステップＳ２１）。これは、あるイベントの開始予定時刻と、別のイベントの終了予定時刻とが同じ場合がありうることに対応するためである。
【００３８】
ステップＳ２１で、終了予定時刻１５Ｃの時刻１２：００、１３：００、１５：００、１８：００、及び後述のステップＳ２６で終了予定時刻１５Ｃが延長して書き変えられた時刻のいずれでもなければ、後述のステップＳ３１へ移動する。
【００３９】
終了予定時刻１５Ｃのいずれかであれば、該当する終了予定時刻のイベントの動作モードの３０分延長をユーザに問い合わせするための報知を表示部３に表示させる（ステップＳ２２）。これも終了予定時刻が同じイベントが複数ある場合には、複数の該当イベント毎に、終了予定時刻の３０分延長をユーザに問い合わせ報知させる。
【００４０】
この終了予定時刻の延長は、ユーザが登録するスケジュール・動作モード記憶部１５の内容は、きちんとメンテナンス更新がなされない場合が多いことを考慮し、また、イベント予定期間中の周囲に迷惑をかけない動作モードから、イベントの終了時に周囲に迷惑をかけやすい通常モードに戻すことになるため、予定表の終了予定時刻をそのまま信用して自動で通常モードに戻すのではなく、ユーザに問い合わせてユーザ指示で処理するためである。これに反して、イベント開始予定時刻になった時には、予定表どおりに周囲に迷惑をかけない動作モードに自動で設定することが望ましい。
【００４１】
問い合わせ報知（ステップＳ２２）の後は、ユーザ応答操作は時間がかかるので、ユーザ無応答タイマー（例えば５０秒間）を開始して（ステップＳ２３）、ユーザ無応答タイマーが５０秒経過するまでは（ステップＳ２４）、該当のイベント毎のユーザ操作による入力部４からの延長可否指示を待つ（ステップＳ２５）。なお、ユーザ無応答タイマーは、１分周期の割込み処理内の時間の５０秒間としたが、他の処理方法などにより、それ以上の長い時間を設定してもよい。
【００４２】
ステップＳ２５で延長可指示があった場合、およびステップＳ２５で無応答で５０秒間経過した場合にはフェイルセーフとして周囲に迷惑をかけない動作モードを継続させるために、該当のイベントの終了予定時刻１５Ｃをプラス３０分して書き変える（ステップＳ２６）。特に、周囲に迷惑をかけない動作モードに設定している場合は、ユーザに延長問い合わせするための報知も、表示報知に限られるなどで、ユーザが気付きにくいことが多いので、このような処理とする。
【００４３】
ステップＳ２６で終了予定時刻１５Ｃがプラス３０分して書き変えられた場合、タイマー割込みの次のタイミング以降の動作モード決定機能１３のステップＳ１において、そのときの現在時刻と、この書き換えられた終了予定時刻１５Ｃが対象として一致が比較されることになる。
【００４４】
ステップＳ２５で延長否指示があった場合、該当のイベントの予定期間中フラグ１５ＧをＯＦＦにする（ステップＳ２７）。
【００４５】
以上の処理で予定期間中フラグ１５Ｇが確定し、次に、各イベントの予定期間中フラグ１５ＧのＯＮ状態をチェックする（ステップＳ３１）。ＯＮのイベントが１個のみ単独であれば、図２の例では他のイベントの延長がない場合の現在時刻１０：００、１４：００、１６：００において、この該当する単独のイベントに登録されている動作モード１５Ｅを決定動作モード記憶部１７に記録することで、携帯端末１００の動作モード設定が完了する（ステップＳ３２）。
【００４６】
ステップＳ３１で各イベントの予定期間中フラグ１５ＧのＯＮ状態が重複していれば、図２の例では現在時刻１１：００において、重複したイベントＥ１、Ｅ２それぞれに登録されている動作モード優先順位１５Ｆの２位と４位の内、迷惑をかけないとの基準に基づいた優先度の高い２位の動作モード１５Ｅのフライトモードを選択決定して、これを決定動作モード記憶部１７に記録することで、携帯端末１００の動作モード設定が完了する（ステップＳ３３）。同様に、図２の例で点線延長時では現在時刻１６：００においては、イベントＥ３とＥ４の予定期間中フラグ１５ＧがＯＮで重複するので、それぞれに登録されている動作モード優先順位１５Ｆの３位と４位の内、３位の動作モード１５Ｅのミーティングモードを選択決定して、これを決定動作モード記憶部１７に記録することで、携帯端末１００の動作モード設定が完了する（ステップＳ３３）。
【００４７】
ステップＳ３１で各イベントの予定期間中フラグ１５ＧのＯＮ状態が１個もなければ、図２の延長のない例では、現在時刻１３：００、１５：００、１８：００において、デフォルトの通常モードを決定動作モード記憶部１７に記録することで、携帯端末１００の動作モード設定が完了する（ステップＳ３４）。
【００４８】
この後、制御部１０の図示しない通信機能やアラーム機能などは、決定動作モード記憶部１７に記録された決定動作モードに基づいて処理する。例えば、これらの通信機能やアラーム機能などは、決定動作モードが電源オフモードであれば、時計部１４や表示部３の報知表示や動作モード決定機能１３のタイマー割込みのみ許可する。決定動作モードがフライトモードであれば、無線通信部２の動作を禁止して電波抑止状態とする。
【００４９】
決定動作モードがミーティングモードであれば、着信時の報知やアラーム報知を無音でバイブレータもなしで、表示部３のみに着信表示を行わせる。決定動作モードがマナーモードであれば、着信時の報知やアラーム報知を無音で、バイブレータと表示部３の表示で報知する。
【００５０】
なお、ステップＳ１１で現在時刻が開始予定時刻１５Ｂと一致し、かつ、ステップＳ２１でも現在時刻が終了予定時刻１５Ｃと一致した場合、ステップＳ２４などのユーザ応答タイマー待ちにより、ステップＳ３１以降の動作モード設定が最大５０秒間遅れてしまい、開始予定時刻のイベントに対応した動作モードの速やかな設定が遅れてしまうおそれがある。これを考慮して、ステップＳ１で現在時刻と比較するイベントの予定時刻を、開始予定時刻１５Ｂおよび終了予定時刻１５Ｃの時刻より数分早い時刻と比較するようにしてもよい。
【００５１】
本発明の実施例によれば、携帯端末の予定表に予め記入されたイベントの時間が重複し、現在時刻がその重複した時間になったときに、各イベントに登録されている動作モードの内、周囲に迷惑をかけない動作モードを自動で選択して設定実行することができる。
【００５２】
また、現在時刻がイベント終了予定時刻になった場合、自動でその動作モードを終了するのではなく、登録されているイベント終了予定時刻のユーザのメンテナンス更新のあやふやさや動作モード終了に伴う周囲への迷惑を考慮して、ユーザ指示により当該動作モードの延長可否を行う。
【００５３】
また、当該動作モードを延長した結果、他のイベントと重複してしまう場合にも、周囲に迷惑をかけない動作モードを自動で選択して設定実行することができる。
【図面の簡単な説明】
【００５４】
【図１】本発明の実施例に係る携帯端末１００のブロック図。
【図２】本発明の実施例に係る携帯端末１００のスケジュール・動作モード記憶部１５を説明する図。
【図３】本発明の実施例に係る携帯端末１００の動作モード優先順位記憶部１６を説明する図
【図４】本発明の実施例に係る携帯端末１００の動作モード決定機能１３の動作フローチャート。
【符号の説明】
【００５５】
１  アンテナ
２  無線通信部
３  表示部
４  入力部
５  スピーカ
６  音声処理部
７  バイブレータ
１０  制御部
１１  スケジュール管理機能
１２  動作モード登録機能
１３  動作モード決定機能
１４  時計部
１５  スケジュール・動作モード記憶部
１６  動作モード優先順位記憶部
１７  決定動作モード記憶部
１００  携帯端末
【図１】
2010114836.tif 000003
【図２】
2010114836.tif 000004
【図３】
2010114836.tif 000005
【図４】
2010114836.tif 000006